(57)【要約】【課題】電源装置での帰還回路の切り替え時に生じる表示装置におけるちらつきを低減できるようにする。【解決手段】入力電圧を昇圧し出力する昇圧回路を有し、液晶表示装置のバックライトＬＥＤ部のみを駆動する場合には第１の帰還回路からの電圧に基づいて駆動電圧を生成し、バックライトＬＥＤ部とピエゾ駆動部及びピエゾ素子を駆動する場合には第１の帰還回路とは異なる第２の帰還回路からの電圧に基づいて駆動電圧を生成して負荷回路に出力する電源装置と、負荷回路の状態に応じた画像を液晶表示装置に表示させるシステム制御部とを有し、システム制御部が、電源装置での帰還回路の切り替え時にフレームの切り替えに使用する同期信号に同期させて液晶表示装置に出力する表示データを切り替えるようにして、表示される画像におけるちらつきを低減できるようにする。【選択図】図１
2015075589.tif 000002
【特許請求の範囲】
【請求項１】
表示データに応じた画像を表示する表示部と、
前記表示部を照射する第１の負荷回路と、
前記第１の負荷回路よりも必要とする駆動電圧が高い第２の負荷回路と、
入力電圧を昇圧し出力する昇圧回路を有し、前記第１の負荷回路を駆動し前記第２の負荷回路を駆動しない場合には、第１の帰還回路から帰還される電圧に基づいて前記昇圧回路が駆動電圧を生成し、前記第１の負荷回路及び前記第２の負荷回路をともに駆動する場合には、前記第１の帰還回路とは異なる第２の帰還回路から帰還される電圧に基づいて前記昇圧回路が駆動電圧を生成して、生成した駆動電圧を前記第１の負荷回路及び前記第２の負荷回路に出力する電源装置と、
前記第１の負荷回路を駆動し前記第２の負荷回路を駆動しない場合と前記第１の負荷回路及び前記第２の負荷回路をともに駆動する場合とで前記表示部に異なる画像を表示させるとともに、前記電源装置での前記帰還回路の切り替え時に、前記表示部のフレームの切り替えに使用する同期信号に同期させて前記表示部に出力する前記表示データを切り替える制御部とを有することを特徴とする電子機器。
【請求項２】
前記電源装置での前記帰還回路の切り替え時に、前記表示部に少なくとも１フレーム分より長い期間、黒画像を表示することを特徴とする請求項１記載の電子機器。
【請求項３】
前記表示部は、表示輝度を調整可能であり、
前記電源装置での前記帰還回路の切り替え時に、少なくとも１フレーム分より長い期間、前記表示部の表示輝度を変更することを特徴とする請求項１記載の電子機器。
【請求項４】
前記表示部の変更された表示輝度を、複数のフレーム分の時間をかけて元の表示輝度に戻すことを特徴とする請求項３記載の電子機器。
【請求項５】
前記表示データの輝度信号のゲインを変更し前記表示部の表示輝度を変更することを特徴とする請求項３記載の電子機器。
【請求項６】
前記第１の負荷回路により前記表示部を照射する輝度を調光し前記表示部の表示輝度を変更することを特徴とする請求項３記載の電子機器。
【請求項７】
前記電源装置の周囲温度を検出する温度検出部を有し、
前記温度検出部により検出された温度に応じて、前記表示部の表示輝度を変更することを特徴とする請求項３記載の電子機器。
【請求項８】
表示データに応じた画像を表示する表示部と、前記表示部を照射する第１の負荷回路と、前記第１の負荷回路よりも必要とする駆動電圧が高い第２の負荷回路と、入力電圧を昇圧し出力する昇圧回路を有する電源装置を有する電子機器の制御方法であって、
前記電源装置は、前記第１の負荷回路を駆動し前記第２の負荷回路を駆動しない場合には、第１の帰還回路から帰還される電圧に基づいて前記昇圧回路が駆動電圧を生成し、前記第１の負荷回路及び前記第２の負荷回路をともに駆動する場合には、前記第１の帰還回路とは異なる第２の帰還回路から帰還される電圧に基づいて前記昇圧回路が駆動電圧を生成して、生成した駆動電圧を前記第１の負荷回路及び前記第２の負荷回路に出力し、
前記負荷回路の状態に応じて、前記電源装置で使用する前記帰還回路の切り替えを行う工程と、
前記第１の負荷回路を駆動し前記第２の負荷回路を駆動しない場合と前記第１の負荷回路及び前記第２の負荷回路をともに駆動する場合とで前記表示部に異なる画像を表示させる工程とを有し、
前記帰還回路の切り替え時に、前記表示部のフレームの切り替えに使用する同期信号に同期させて前記表示部に出力する前記表示データを切り替えることを特徴とする制御方法。
【請求項９】
表示データに応じた画像を表示する表示部と、前記表示部を照射する第１の負荷回路と、前記第１の負荷回路よりも必要とする駆動電圧が高い第２の負荷回路と、入力電圧を昇圧し出力する昇圧回路を有する電源装置を有する電子機器の制御方法をコンピュータに実行させるプログラムであって、
前記電源装置は、前記第１の負荷回路を駆動し前記第２の負荷回路を駆動しない場合には、第１の帰還回路から帰還される電圧に基づいて前記昇圧回路が駆動電圧を生成し、前記第１の負荷回路及び前記第２の負荷回路をともに駆動する場合には、前記第１の帰還回路とは異なる第２の帰還回路から帰還される電圧に基づいて前記昇圧回路が駆動電圧を生成して、生成した駆動電圧を前記第１の負荷回路及び前記第２の負荷回路に出力し、
前記負荷回路の状態に応じて、前記電源装置で使用する前記帰還回路の切り替えを行うステップと、
前記第１の負荷回路を駆動し前記第２の負荷回路を駆動しない場合と前記第１の負荷回路及び前記第２の負荷回路をともに駆動する場合とで前記表示部に異なる画像を表示させるステップとをコンピュータに実行させ、
かつ前記帰還回路の切り替え時には、前記表示部のフレームの切り替えに使用する同期信号に同期させて前記表示部に出力する前記表示データを切り替えることを特徴とするプログラム。
【発明の詳細な説明】
【技術分野】
【０００１】
本発明は、電源装置を有する電子機器及びその制御方法に関する。
【背景技術】
【０００２】
携帯型の電子機器等において、液晶表示装置のバックライト照明にＬＥＤ（Ｌｉｇｈｔ  Ｅｍｉｔｔｉｎｇ  Ｄｉｏｄｅ）が用いられている。順方向電圧がＶｆで与えられるＬＥＤをｎ段直列に接続した場合、それを駆動するにはＶｆ×ｎ以上の電圧が必要である。例えば、４段以上にＬＥＤを直列接続された回路を駆動する場合には、通常、１０Ｖ以上の電圧が必要となる。携帯型の電子機器等の電池は、一般的にリチウムイオン電池が使用されている。リチウムイオン電池の出力電圧は、１セルの電池で４Ｖ程度であり、２セルの電池で８Ｖ程度である。そのため、ＬＥＤの駆動には昇圧型の電源装置が用いられる。一方で、アクチュエーターの駆動等を必要とする電子機器では、ＬＥＤより高い駆動電圧を必要とするデバイスを有するものもある。
【０００３】
負荷回路としてＬＥＤと、ＬＥＤよりも高い駆動電圧を必要とするデバイスとを切り替えて駆動する昇圧型の電源装置が提案されている（特許文献１参照）。図１０は、特許文献１を代表とする昇圧型の電源装置の構成例を示す図である。図１０において、１０はスイッチングレギュレータやスイッチドキャパシタ方式等により構成される昇圧回路部である。昇圧回路部１０は、入力電圧Ｖｉｎを出力電圧Ｖｏｕｔに昇圧する。１１はＬＥＤであり、１２はＬＥＤ１１よりも高電圧を必要とする第２の負荷部である。
【０００４】
図１０において、ＬＥＤ１１のみを駆動する場合には、スイッチ部１７及び１８により、検出抵抗１３及び第１の帰還回路１６が選択され、検出抵抗１３での降下電圧を一定に保つように昇圧回路部１０に帰還をかける。第１の帰還回路１６の使用時は、検出抵抗１３の抵抗値をＲ、ＬＥＤ１１に流れる電流をＩｌｅｄとすると、電源装置の出力電圧をＶｏｕｔ＝Ｖｆ×ｎ＋Ｒ×Ｉｌｅｄとすればよい。一方、ＬＥＤ１１及び第２の負荷部１２を同時に駆動する場合には、スイッチ部１７及び１８により、第２の帰還回路１５及び定電流部１４が選択される。昇圧回路部１０が、第２の負荷部１２を駆動するのに必要な電圧となるように昇圧動作を行うとともに、ＬＥＤ１１には定電流部１４により一定の電流を流すことでＬＥＤ１１の順方向電圧Ｖｆのばらつきに関わらず安定した電圧出力が得られる。
【先行技術文献】
【特許文献】
【０００５】
【特許文献１】特開２００６−１０１６３７号公報
【発明の概要】
【発明が解決しようとする課題】
【０００６】
しかしながら、前述のように負荷回路の状態に応じて帰還回路を切り替えて駆動電圧を生成する電源装置には、以下のような課題がある。図１１は、図１０に示した電源装置の出力電圧Ｖｏｕｔ及び負荷回路であるＬＥＤに流れる電流ＩLの変化を示す図である。図１０に示したような電源装置では、帰還回路の切り替え時において出力電圧Ｖｏｕｔが安定するまでの期間中、ＬＥＤに流れる電流ＩLにリップルが発生してしまう。ＬＥＤに流れる電流のリップルによりＬＥＤ輝度に変化が生じるため、帰還回路の切り替え時には、液晶表示装置に表示されている表示画像がちらついて見えてしまう。
【０００７】
本発明は、負荷回路の状態に応じて帰還回路を切り替える電源装置を有する電子機器にて、帰還回路の切り替え時に生じる表示装置におけるちらつきを低減できるようにすることを目的とする。
【課題を解決するための手段】
【０００８】
本発明に係る電子機器は、表示データに応じた画像を表示する表示部と、前記表示部を照射する第１の負荷回路と、前記第１の負荷回路よりも必要とする駆動電圧が高い第２の負荷回路と、入力電圧を昇圧し出力する昇圧回路を有し、前記第１の負荷回路を駆動し前記第２の負荷回路を駆動しない場合には、第１の帰還回路から帰還される電圧に基づいて前記昇圧回路が駆動電圧を生成し、前記第１の負荷回路及び前記第２の負荷回路をともに駆動する場合には、前記第１の帰還回路とは異なる第２の帰還回路から帰還される電圧に基づいて前記昇圧回路が駆動電圧を生成して、生成した駆動電圧を前記第１の負荷回路及び前記第２の負荷回路に出力する電源装置と、前記第１の負荷回路を駆動し前記第２の負荷回路を駆動しない場合と前記第１の負荷回路及び前記第２の負荷回路をともに駆動する場合とで前記表示部に異なる画像を表示させるとともに、前記電源装置での前記帰還回路の切り替え時に、前記表示部のフレームの切り替えに使用する同期信号に同期させて前記表示部に出力する前記表示データを切り替える制御部とを有することを特徴とする。
【発明の効果】
【０００９】
本発明によれば、電源装置での帰還回路の切り替え時に、フレームの切り替えに使用する同期信号に同期させて表示させる画像を切り替えるので、表示される画像におけるちらつきを低減することができる。
【図面の簡単な説明】
【００１０】
【図１】本発明の実施形態に係る電源装置の構成例を示す図である。
【図２】本発明の実施形態に係る電子機器の構成例を示す図である。
【図３】本発明の実施形態における画像表示に係る信号を説明するための図である。
【図４】実施形態１に係る電子機器の処理動作を示すフローチャートである。
【図５】実施形態１における帰還回路の切り替え、ＬＥＤ電流、及び表示画像の例を示す図である。
【図６】実施形態２に係る電子機器の処理動作を示すフローチャートである。
【図７】実施形態２における帰還回路の切り替え、ＬＥＤ電流、及び表示画像の例を示す図である。
【図８】実施形態３に係る電子機器の処理動作を示すフローチャートである。
【図９】実施形態３における帰還回路の切り替え、ＬＥＤ電流、及び輝度信号のゲインの例を示す図である。
【図１０】昇圧型の電源装置の構成例を示す図である。
【図１１】図１０に示した昇圧型の電源装置において発生するＬＥＤ電流のリップルを示す図である。
【発明を実施するための形態】
【００１１】
以下、本発明の実施形態を図面に基づいて説明する。
図２は、本発明の一実施形態に係る電子機器の構成例を示す図である。本発明の実施形態に係る電子機器は、負荷回路の状態に応じて帰還回路を切り替える電源装置を有する。図２には、本実施形態に係る電子機器の一例として、負荷回路の状態に応じて帰還回路を切り替える電源装置を有するレンズユニット交換式の撮像装置１００の構成を示している。
【００１２】
１２１は撮像素子であり、レンズ２１０、絞り２１１、レンズマウント１０２及び２０２、シャッター１４４を介して被写体の光学像が結像し、その光学像を電気信号に変換する。１２２はＡ／Ｄ変換部であり、撮像素子１２１のアナログ信号出力をデジタル信号に変換する。Ａ／Ｄ変換部１２２でＡ／Ｄ変換されたデジタル信号は、メモリ制御部１２４及びシステム制御部１２０により制御され、メモリ１２７に格納される。
【００１３】
１２３は画像処理部であり、Ａ／Ｄ変換部１２２でＡ／Ｄ変換されたデジタル信号のデータ或いはメモリ制御部１２４からのデータに対して所定の画素補間処理や色変換処理を行う。画像処理部１２３は、適応離散コサイン変換（ＡＤＣＴ）等により画像データを圧縮伸長する圧縮・伸長回路も有する。また、メモリ部１２７に格納された画像を読み込んで圧縮処理或いは伸長処理を行い、処理を終えたデータをメモリ部１２７に書き込むことも可能である。
【００１４】
１２４はメモリ制御部であり、Ａ／Ｄ変換部１２２、画像処理部１２３、表示装置１１０、外部着脱メモリ部１３０とメモリ部１２７間のデータの送受を制御する。Ａ／Ｄ変換部１２２のデータが画像処理部１２３、メモリ制御部１２４を介して、或いはＡ／Ｄ変換部１２２のデータが直接メモリ制御部１２４を介して、メモリ部１２７に書き込まれる。
【００１５】
１１０は液晶表示装置であり、液晶パネル表示部１２５及びバックライトＬＥＤ部１２６を有する。１２５は液晶パネル表示部であり、システム制御部１２０の指示により、メモリ部１２７の画像表示データ用領域に格納されたメニュー画面、又は外部着脱メモリ部１３０に格納された画像ファイルを表示することが可能である。１２６はバックライトＬＥＤ部であり、液晶パネル表示部１２５に対して背面照射する。バックライトＬＥＤ部１２６は、システム制御部１２０の指示により液晶パネル表示部１２５を照射する輝度を調整可能になっている。
【００１６】
ここで、液晶表示装置１１０で表示を行うために、システム制御部１２０から液晶パネル部１２５へ出力される信号の例を図３に示す。図３において、ＨＳＹＮＣは水平同期信号であり、ＣＬＯＣＫはクロック信号であり、ＤＡＴＡ［ｎ］はデータバス信号であり、ＶＳＹＮＣは垂直同期信号である。図３（Ａ）に示すように、液晶パネル表示部１２５に表示される画像の１ラインの切り替えは、水平同期信号ＨＳＹＮＣに同期して行われる。水平同期信号ＨＳＹＮＣの立下りから水平バックポーチ期間ｔｈｂｐが経過した後、期間Ａｃｔｉｖｅ  Ａｒｅａにおいてデータバス信号ＤＡＴＡ［ｎ］により有効な表示データが送信される。また、図３（Ｂ）に示すように、液晶パネル表示部１２５に表示される１フレームの切り替えは、垂直同期信号ＶＳＹＮＣに同期して行われる。垂直同期信号ＶＳＹＮＣの立下りから垂直バックポーチ期間ｔｖｂｐが経過した後のラインが、有効な映像ラインＡｃｔｉｖｅ  Ｌｉｎｅとして液晶モニタ表示部１２５に表示される。また、表示データの形式は、輝度信号Ｙ、色差信号Ｕ及びＶからなるＹＵＶデータフォーマット等が用いられる。システム制御部１２０は、輝度信号Ｙをゲインｇ倍する回路を内蔵しており、ゲインｇにより表示データの輝度を調整することが可能である。
【００１７】
１２０は撮像装置１００全体を制御するシステム制御部である。１２７は撮影した静止画像及び動画像、再生用表示のための画像のデータを格納するためのメモリ部である。メモリ部１２７は、所定枚数の静止画像や動画像を格納するのに十分な記憶量を有する。なお、メモリ部１２７は、システム制御部１２０のプログラムスタック領域、ステータス記憶領域、演算用領域、ワーク用領域、画像表示データ用領域が確保されている。各種の演算は、メモリ部１２７の演算用領域を利用し、システム制御部１２０により実行される。
【００１８】
１２８は電気的に消去・記録可能な不揮発性メモリであり、例えばフラッシュメモリやＥＥＰＲＯＭ等が用いられる。不揮発性メモリ１２８には、撮影状態の保存や、撮像装置１００を制御するプログラムが格納されている。また、不揮発性メモリ１２８に、液晶パネル表示部１２５で表示させるメニュー画面等の各種表示データが格納されていても良い。１３０はコンパクトフラッシュ（登録商標）やＳＤカードといった記録媒体に画像ファイル記録や読み出しを行うための外部着脱メモリ部である。１３１は撮像装置１００の主電源部であり、電池、電池検出回路、ＤＣ−ＤＣコンバータ、通電するブロックを切り替えるスイッチ回路等により構成されており、電池の装着の有無、電池の種類、電池残量の検出を行う。また、検出結果及びシステム制御部１２０の指示に基づいてＤＣ−ＤＣコンバータを制御し、必要な電圧を必要な期間、各ブロック部へ供給する。
【００１９】
１４１はシャッター制御部であり、測光部１４２からの測光情報に基づいて、絞り２１１を制御するレンズ制御部２０３と連携しながら、シャッター１４４を制御する。１４２はＡＥ（自動露出）処理を行うための測光部である。測光部１４２は、レンズ２１０に入射した光線を、絞り２１１、レンズマウント２０２及び１０２、そして測光用レンズを介して入射させることにより、光学像として結像された画像の露出状態を測定することができる。また、測光部１４２は、ストロボユニット３００と連携することによりＥＦ（フラッシュ調光）処理機能も有する。また、ストロボユニット３００は、ＡＦ補助光の投光機能、フラッシュ調光機能も有する。１４３はＡＦ（オートフォーカス）処理を行うための測距部である。測距部１４３は、レンズ２１０に入射した光線を、絞り２１１、レンズマウント２０２及び１０２、そして測距用ミラーを介して入射させることにより、光学像として結像された画像の合焦状態を測定することができる。
【００２０】
１４０はカメラ制御部であり、シャッター制御部１４１、測光部１４２、測距部１４３との送受通信によりカメラとしての一連の動作を制御する。また、カメラ制御部１４０は、レンズユニット２００、ストロボユニット３００を制御することも可能である。
【００２１】
１３２、１３３、１３４、１３５、１３６、及び１３７は、システム制御部１２０の各種の動作指示を入力するための操作部である。操作部は、スイッチやダイアル等の単数或いは複数の組み合わせで構成される。ここで、これらの操作部の具体的な説明を行う。１３２は再生スイッチであり、液晶表示装置１１０に所定の画像データを表示する再生表示モード操作ができる。外部着脱メモリ部１３０に格納された画像ファイルを再生表示する場合には、必ずこの再生スイッチ１３２により操作する必要がある。また、既に再生表示モードで、この操作が行われた場合には、再生表示モードから撮影モードへの切り替えができる。
【００２２】
１３３はメニュースイッチであり、液晶表示装置１１０に各種項目一覧を表示する。この表示内容としては撮影に関する状態設定、記録媒体のフォーマット、時計の設定、現像パラメータの設定、及びユーザ機能の設定（カスタム機能の設定）などがある。１３４はモードダイアルであり、自動撮影モード、プログラム撮影モード、シャッター速度優先撮影モード、絞り優先撮影モード等の各機能撮影モードを切り替え設定することができる。また、モードダイアル１３４を操作することにより、マニュアル撮影モード、ポートレート撮影モード、風景撮影モード、スポーツ撮影モード、夜景撮影モード、動画モード等の各機能撮影モードを切り替え設定することができる。
【００２３】
１３５はレリーズスイッチであり、レリーズボタンの半押し（ＳＷ１）及び全押し（ＳＷ２）で各々がオンとなるスイッチである。半押し状態ではＡＦ処理、ＡＥ処理、ＡＷＢ（オートホワイトバランス）処理、ＥＦ（フラッシュ調光）処理等の動作開始を指示する。全押し状態では、撮像素子１２１から読み出した信号をＡ／Ｄ変換部１２２、メモリ制御部１２４を介してメモリ部１２７に画像データを書き込む撮像処理、画像処理部１２３やメモリ制御部１２４での演算を用いた現像処理を行う。さらに、メモリ部１２７から画像データを読み出し、画像処理部１２３で圧縮を行い、外部着脱メモリ部１３０に装着された記録媒体に画像データを書き込む記録処理という一連の処理の動作開始を指示する。
【００２４】
１３６は各種ボタンスイッチ及び電子ダイアルからなる操作部であり、シャッタースピード、絞り値、露出等の設定ができる。また、撮影モード、連写モード、セット、マクロ、ページ送り、フラッシュ設定、メニュー移動、ホワイトバランス選択、撮影画質選択、露出補正、日付／時間設定ができる。さらに、動画撮影開始及び停止を行う動画撮影スイッチや、上下左右方向スイッチや、再生画像のズーム倍率変更スイッチがある。さらに、液晶表示装置１１０の画像表示オン／オフスイッチ、撮影直後に撮影画像データを自動再生するクイックレビューオン／オフスイッチ、再生画像を消去する画像消去スイッチがある。また、ＪＰＥＧ及びＭＰＥＧ圧縮の各圧縮率と、撮像素子の信号をそのままデジタル化して記録するＣＣＤＲＡＷモードとを選択する圧縮モードスイッチがある。その他、レリーズスイッチ半押し状態でオートフォーカスの合焦状態を保ち続けるワンショットＡＦモードと連続してオートフォーカス動作を続けるサーボＡＦモードとを設定するＡＦモード設定スイッチ等がある。
【００２５】
１３７は電源スイッチであり、撮像装置１００の電源オン、電源オフの各モードを切り替え設定することができる。また、撮像装置１００に接続されたレンズユニット２００、ストロボユニット３００、記録媒体等の各種付属装置の電源オン、電源オフの設定も合わせて切り替え設定することができる。１３８は温度検出部である温度センサであり、電源装置１５３の周囲温度を検知することができる。
【００２６】
１０２及び２０２はレンズマウントであり、撮像装置１００をレンズユニット２００と接続するためのインターフェースである。１０１及び２０１は撮像装置１００をレンズユニット２００と電気的に接続するコネクタであり、カメラ制御部１４０により制御される。１１１及び３０１はアクセサリシューであり、撮像装置１００をストロボユニット３００と接続するためのインターフェースである。
【００２７】
２００は交換レンズタイプのレンズユニットであり、被写体の光学像をレンズ２１０から、絞り２１１、レンズマウント２０２及び１０２、シャッター１４４を介して導き、撮像素子１２１上に結像することができる。２０３はレンズユニット２００全体を制御するレンズ制御部である。レンズ制御部２０３は、動作用の定数、変数、プログラム等を記憶するメモリやレンズユニット２００固有の番号等の識別情報、管理情報、開放絞り値や最小絞り値、焦点距離等の機能情報、現在や過去の各設定値等を保持する不揮発メモリの機能も有する。また、レンズ制御部２０３は絞り２１１を制御したり、レンズ２１０のフォーカシングを制御したり、レンズ２１０のズーミングを制御する機能も有する。
【００２８】
３００はアクセサリシュー１１１に接続するストロボユニットである。３０１はアクセサリシュー１１１内において、ストロボユニット３００と撮像装置１００と電気的に接続するインターフェースである。３０２はストロボユニット３００全体を制御するストロボ発光制御部であり、キセノン管等の発光部に対し、測光部１４２からの情報に基づいて発光量や発光タイミングを制御する。
【００２９】
１５１はピエゾ素子１５２を駆動するためのピエゾ駆動部であり、Ｈブリッジ回路により構成されている。Ｈブリッジ回路の制御信号は、システム制御部１２０より出力される。１５２はピエゾ素子であり、撮像素子１２１の前面に設置されている光学ローパスフィルタに取り付けられている。ピエゾ駆動部１５１が複数の異なる周波数でピエゾ素子１５２を振動させることにより光学ローパスフィルタを振動させ、光学ローパスフィルタに付着したゴミを払い落すセンサークリーニング機能が撮像装置１００に搭載されている。センサークリーニングは、電源スイッチ１３７のオンオフ時に自動的に実行する他、メニュースイッチ１３３によりメニュー画面を表示し、操作部１３６によりセンサークリーニングメニューを選択することで実行することができる。
【００３０】
１５３は第１の負荷回路としてのバックライトＬＥＤ部１２６及び第２の負荷回路としてのピエゾ駆動部１５１及びピエゾ素子１５２を駆動するための駆動電圧を生成する高電圧用の電源装置である。以下、図１を参照して、電源装置１５３の詳細について説明する。図１は、本実施形態における電源装置の１５３の構成例を示す図である。
【００３１】
電源装置１５３は、入力電圧Ｖｉｎを昇圧して出力電圧Ｖｏｕｔを出力する昇圧型のコンバータである。電源装置１５３には、第１の負荷回路であるＬＥＤ部１２６と、第２の負荷回路であるピエゾ駆動部１５１及びピエゾ素子１５２が接続されている。電源装置１５３は、インダクタ４００、スイッチングトランジスタ４０１、整流用のダイオード４０２、及び出力コンデンサ４０３からなるスイッチングレギュレータ型の昇圧回路部を有する。スイッチングトランジスタ４０１をオンオフさせることにより、インダクタ４００と出力コンデンサ４０３によりエネルギー変換が行われ、入力電圧Ｖｉｎを電圧Ｖｏｕｔに昇圧して出力することができる。
【００３２】
４０４はシステム制御部１２０からの選択信号であり、第１の帰還回路及び第２の帰還回路の切り替えを制御する。選択信号４０４は、インバータ４０５に接続されており、インバータ４０５により選択信号のハイレベルとローレベルとを反転する。これにより、選択信号４０４がハイレベルのときには、スイッチ４０６及びスイッチ４１１がオンし、スイッチ４０８及びスイッチ４０９がオフになる。また、選択信号４０４がローレベルのときには、スイッチ４０８及びスイッチ４０９がオンし、スイッチ４０６及びスイッチ４１１がオフになる。
【００３３】
スイッチ４０６及びスイッチ４１１、検出抵抗４１２、第１の誤差増幅器４１３から第１の帰還回路が構成される。第１の誤差増幅器４１３には、基準電圧源ＲＥＦ１により生成される基準電圧Ｖｒｅｆ１と、検出抵抗４１２での降下電圧値の帰還電圧Ｖｆｂ１とが入力される。第１の誤差増幅器４１３は、基準電圧Ｖｒｅｆ１及び帰還電圧Ｖｆｂ１の２つの電圧値が等しくなるように誤差信号Ｖｅｒｒ１を出力する。４１４は電圧比較器である。第１の帰還回路が使用される場合には、選択信号４０４がハイレベルであり、スイッチ４０６及びスイッチ４１１がオンし、スイッチ４０８及びスイッチ４０９がオフになる。このとき、電圧比較器４１４は、第１の誤差増幅器４１３の出力である誤差信号Ｖｅｒｒ１と、のこぎり波発信器４１５の電圧Ｖｓａｗとが入力され、比較結果である出力信号Ｖｐｗｍを出力する。電圧比較器４１４の出力信号Ｖｐｗｍによって、スイッチングトランジスタ４０１のオンオフ期間が制御される。ここで、第１の負荷回路であるバックライトＬＥＤ部１２６に流れる電流をＩｌｅｄ、検出抵抗４１２の抵抗値をＲとすると、検出抵抗４１２での降下電圧はＲ×Ｉｌｅｄとなる。検出抵抗４１２で消費される電力は損失となるため、抵抗値Ｒは極力小さく設定する。第１の帰還回路は、検出抵抗４１２での降下電圧を一定に保つことで、第１の負荷回路であるバックライトＬＥＤ部１２６に流れる電流を所定の定電流に安定化することができる。
【００３４】
また、分圧抵抗４１７及び４１８、第２の誤差増幅器４１９、スイッチ４０９から第２の帰還回路が構成される。また、第２の帰還回路の選択時は、スイッチ４０８がオンし、バックライトＬＥＤ部１２６のカソード端子は、定電流源４２０に接続される。第２の誤差増幅器４１９には、基準電圧源ＲＥＦ２により生成される基準電圧Ｖｒｅｆ２と、電源装置１５３の出力電圧Ｖｏｕｔを分圧抵抗４１７及び４１８で分圧した帰還電圧Ｖｆｂ２が入力される。第２の誤差増幅器４１９は、基準電圧Ｖｒｅｆ２及び帰還電圧Ｖｆｂ２の２つの電圧値が等しくなるように誤差信号Ｖｅｒｒ２を出力する。第２の帰還回路が使用される場合には、選択信号４０４がローレベルであり、スイッチ４０８及びスイッチ４０９がオンし、スイッチ４０６及びスイッチ４１１がオフになる。このとき、電圧比較器４１４は、第２の誤差増幅器４１９の出力である誤差信号Ｖｅｒｒ２と、のこぎり波発信器４１５の電圧Ｖｓａｗとが入力され、比較結果である出力信号Ｖｐｗｍを出力する。電圧比較器４１４の出力信号Ｖｐｗｍによって、スイッチングトランジスタ４０１のオンオフ期間が制御される。ここで、第２の帰還回路が使用される場合には、第１の負荷回路であるバックライトＬＥＤ部１２６のＬＥＤの順方向電圧Ｖｆがばらついても、第２の負荷回路であるピエゾ駆動部１５１及びピエゾ素子１５２に所定の出力電圧値Ｖｏｕｔを安定的に出力できる。また、第１の負荷回路であるバックライトＬＥＤ部１２６には、定電流源４２０により所定の定電流Ｉｒｅｆが流れる。定電流源４２０により生成する定電流Ｉｒｅｆと、第１の帰還回路により生成される電流Ｉｌｅｄとが等しくなるように、定電流値Ｉｒｅｆを設定することで、帰還回路を切り替えても、バックライトＬＥＤ部１２６に同じ電流値を流すことができる。
【００３５】
４２１は、システム制御部１２０より出力されるＬＥＤ調光用のＰＷＭ信号である。ＰＷＭ信号によりスイッチ４２２及び定電流源４２０のオンオフ期間（デューティ比）を制御することにより、単位時間当たりのＬＥＤの点灯時間を制御し、ＬＥＤの輝度を所望の明るさに調光することができる。スイッチ４２２及び定電流源４２０がオフの期間中には、第１の誤差増幅器４１３及び第２の誤差増幅器４１９がオフになる。そして、スイッチ４２２及び定電流源４２０がオンになってから検出遅延時間ｔｄｌｙが経過した後に、第１の誤差増幅器４１３及び第２の誤差増幅器４１９がオンとなる。なお、検出遅延時間ｔｄｌｙは、帰還電圧Ｖｆｂ１及び帰還電圧Ｖｆｂ２が正常の電圧値を出力するのに十分な時間が設定される。
以上、本発明の実施形態における電源装置を有する電子機器の一例であるレンズユニット交換式の撮像装置１００の構成について説明した。
【００３６】
以下、実施形態１〜３における撮像装置１００の処理動作について説明する。
（実施形態１）
実施形態１における撮像装置１００の処理動作について説明する。図４は、実施形態１における撮像装置１００の処理動作を示すフローチャートである。図５は、実施形態１における帰還回路の切り替えによるバックライトＬＥＤ部１２６に流れるＬＥＤ電流、垂直同期信号ＶＳＹＮＣ、及び表示画像の例を示す図である。本実施形態において、第２の負荷回路であるピエゾ駆動部１５１及びピエゾ素子１５２を駆動させるセンサークリーニング動作は、電源スイッチ１３７のオン時に自動的に実行する。よって、図４（Ａ）に示す電源投入後のステップＳ１００では、電源装置１５３において第２の帰還回路が選択される。
【００３７】
次に、ステップＳ１０１では、電源装置１５３での昇圧動作が開始される。ステップＳ１０２では、液晶パネル表示部１２５が動作を開始し、システム制御部１２０からの制御信号及び表示画像データを受信できる状態に設定される。ステップＳ１０３では、システム制御部１２０は、予め不揮発性メモリ部１２８に格納されている第２の表示データを液晶パネル表示部１２５に出力する。第２の表示データは、第２の帰還回路の選択時であるセンサークリーニング動作の際に、液晶パネル表示部１２５で表示させる特定の画像の表示データである。第２の表示データによって表示される特定の画像は、例えば図５に示す画像５０１である。
【００３８】
ステップＳ１０４では、電源装置１５３による第１の負荷回路であるバックライトＬＥＤ部１２６の駆動が開始される。ステップＳ１０５では、電源装置１５３による第２の負荷回路であるピエゾ駆動部１５１及びピエゾ素子１５２の駆動が開始される。ここで、ステップＳ１０４及びステップＳ１０５の処理は、電源装置１５３の出力電圧Ｖｏｕｔが十分に安定した後に実行される。
【００３９】
続いて、図４（Ｂ）に示すステップＳ１０６では、システム制御部１２０は、センサークリーニング動作が終了してピエゾ駆動部１５１及びピエゾ素子１５２の駆動を停止する要求信号があるか否かを判定する。この要求信号は、システム制御部１２０内のタイマーモジュールにより、センサークリーニング動作を開始してから所定時間が経過したことを検知し出力される。判定の結果、ピエゾ駆動部１５１及びピエゾ素子１５２の駆動を停止する要求信号があるかと判定した場合には、ステップＳ１０７に進む。
【００４０】
ステップＳ１０７では、システム制御部１２０は、液晶パネル表示部１２５に出力する垂直同期信号ＶＳＹＮＣの立下りを検出する。続く、ステップＳ１０８では、ステップＳ１０７で垂直同期信号ＶＳＹＮＣの立下りを検出したことに同期して、システム制御部１２０は、液晶パネル表示部１２５に出力する表示データを第１の表示データに切り替える。第１の表示データは、第１の帰還回路の選択時であるセンサークリーニング非動作の際に、液晶パネル表示部１２５で表示させる画像の表示データである。第１の表示データによって表示される画像は、第２の表示データにより表示される画像とは異なる、メニュー画面や再生表示画像等であり、例えば図５に示す画像５０２、５０３のような特定ではない画像である。
【００４１】
ステップＳ１０９では、システム制御部１２０の指示により、ピエゾ駆動部１５１及びピエゾ素子１５２の駆動が停止される。次に、ステップＳ１１０では、電源装置１５３において、帰還回路として第１の帰還回路が選択され切り替えられる。ここで、ステップＳ１０９及びステップＳ１１０の処理は、ステップＳ１０７で垂直同期信号ＶＳＹＮＣの立下りを検出したことに同期して、垂直バックポーチ期間ｔｖｂｐの期間中に実行される。
【００４２】
続いて、図４（Ｃ）に示すステップＳ１１１では、システム制御部１２０は、センサークリーニング動作を実行する要求信号があるか否かを判定する。センサークリーニング動作は、電源スイッチ１３７のオンオフ時に自動的に実行される他、メニュースイッチ１３３によりメニュー画面を表示し、操作部１３６によりセンサークリーニングメニューを選択することでも実行することができる。判定の結果、センサークリーニング動作を実行する要求信号があるかと判定した場合には、ステップＳ１１２に進む。
【００４３】
ステップＳ１１２では、システム制御部１２０は、ステップＳ１０７と同様に液晶パネル表示部１２５に出力する垂直同期信号ＶＳＹＮＣの立下りを検出する。続く、ステップＳ１１３では、ステップＳ１１２で垂直同期信号ＶＳＹＮＣの立下りを検出したことに同期して、システム制御部１２０は、第２の表示データを液晶パネル表示部１２５に出力する。
【００４４】
次に、ステップＳ１１４では、電源装置１５３において、帰還回路として第２の帰還回路が選択され切り替えられる。そして、ステップＳ１１５では、電源装置１５３によるピエゾ駆動部１５１及びピエゾ素子１５２の駆動が開始される。ここで、ステップＳ１１４及びステップＳ１１５の処理は、ステップＳ１１２で垂直同期信号ＶＳＹＮＣの立下りを検出したことに同期して、垂直バックポーチ期間ｔｖｂｐの期間中に実行される。
以降、図４（Ｂ）及び図４（Ｃ）に示した処理動作を行う。
【００４５】
実施形態１によれば、図５に示すように、電源回路１５３での帰還回路の切り替え時に発生するバックライトＬＥＤ部１２６に流れる電流のリップルの発生タイミングと、表示データの切り替えとを同期させることができる。これにより、バックライトＬＥＤ部１２６の電流リップルにより引き起こされる液晶表示装置１１０での表示輝度のちらつきをユーザが感じにくくすることができる。
【００４６】
（実施形態２）
次に、実施形態２における撮像装置１００の処理動作について説明する。図６は、実施形態２における撮像装置１００の処理動作を示すフローチャートである。図７は、実施形態２における帰還回路の切り替えによるバックライトＬＥＤ部１２６に流れるＬＥＤ電流、垂直同期信号ＶＳＹＮＣ、及び表示画像の例を示す図である。なお、電源投入後から図６（Ａ）に示すステップＳ２０６までの処理は、図４（Ａ）に示した実施形態１におけるスイッチＳ１００〜Ｓ１０５までの処理と同じであるので、図６においては図示せず、その説明は省略する。
【００４７】
図６（Ａ）に示すステップＳ２０６及びステップＳ２０７の処理は、図４（Ｂ）に示したステップＳ１０６及びステップＳ１０７の処理と同様である。続く、ステップＳ２０８では、ステップＳ２０７で垂直同期信号ＶＳＹＮＣの立下りを検出したことに同期して、システム制御部１２０は、液晶パネル表示部１２５に出力する表示データを、図７に示すような黒画像７０２の表示データに切り替える。次のステップＳ２０９及びステップＳ２１０の処理は、図４（Ｂ）に示したステップＳ１０９及びステップＳ１１０の処理と同様である。
【００４８】
ステップＳ２１１では、システム制御部１２０は、垂直同期信号ＶＳＹＮＣの立下り検出回数をシステム制御部１２０内蔵のカウンタにてカウントした値ｎが、所定の回数であるＮ回であるかどうかを判定する。判定の結果、垂直同期信号ＶＳＹＮＣの立下り検出回数がＮ回に達した場合には、ステップＳ２１２に進む。ステップＳ２１２では、所定の回数目の垂直同期信号ＶＳＹＮＣの立下りに同期して、システム制御部１２０は、液晶パネル表示部１２５に出力する表示データを、図７に示すような画像７０３の第１の表示データに切り替える。次に、図６（Ｂ）に示すステップＳ２１３に進む。
【００４９】
図６（Ｂ）に示すステップＳ２１３及びステップＳ２１４の処理は、図４（Ｃ）に示したステップＳ１１１及びステップＳ１１２の処理と同様である。続く、ステップＳ２１５では、ステップＳ２１４で垂直同期信号ＶＳＹＮＣの立下りを検出したことに同期して、システム制御部１２０は、液晶パネル表示部１２５に出力する表示データを、図７に示すような黒画像７０２の表示データに切り替える。次のステップＳ２１６及びステップＳ２１７の処理は、図４（Ｃ）に示したステップＳ１１４及びステップＳ１１５の処理と同様である。
【００５０】
ステップＳ２１８では、システム制御部１２０は、ステップＳ２１１と同様に、垂直同期信号ＶＳＹＮＣの立下り検出回数が、所定の回数であるＮ回であるかどうかを判定する。判定の結果、垂直同期信号ＶＳＹＮＣの立下り検出回数がＮ回に達した場合には、ステップＳ２１９に進む。ステップＳ２１９では、所定の回数目の垂直同期信号ＶＳＹＮＣの立下りに同期して、システム制御部１２０は、液晶パネル表示部１２５に出力する表示データを、図７に示すような画像７０１の第２の表示データに切り替える。次に、図６（Ａ）に示すステップＳ２０６に進む。以降、図６（Ａ）及び図６（Ｂ）に示した処理動作を行う。
【００５１】
実施形態２によれば、図７に示すように、電源回路１５３での帰還回路の切り替え時に発生するバックライトＬＥＤ部１２６に流れる電流のリップルの発生タイミングと、表示データの切り替えを同期させる。さらに、バックライトＬＥＤ部１２６の電流リップルが収まるまで１フレーム分より長いＮフレーム分の期間中、液晶パネル表示部１２５に黒画像７０２を表示させる。黒画像７０２を表示しているときは、液晶パネル表示部１２５の透過率が低くなるため、他の画像を表示しているときと比較して、バックライトＬＥＤ部１２６の輝度変化量に対する液晶パネル表示部１２５での表示輝度の変化量を小さく抑えることができる。これにより、バックライトＬＥＤ部１２６の電流リップルにより引き起こされる液晶表示装置１１０での表示輝度のちらつきを、実施形態１よりもユーザに感じにくくすることができる。
【００５２】
（実施形態３）
次に、実施形態３における撮像装置１００の処理動作について説明する。図８は、実施形態３における撮像装置１００の処理動作を示すフローチャートである。図９は、実施形態３における帰還回路の切り替えによるバックライトＬＥＤ部１２６に流れるＬＥＤ電流、垂直同期信号ＶＳＹＮＣ、輝度信号Ｙのゲインｇ、及び液晶パネル表示部１２５の表示輝度の例を示す図である。なお、電源投入後から図８（Ａ）に示すステップＳ３０６までの処理は、図４（Ａ）に示した実施形態１におけるスイッチＳ１００〜Ｓ１０５までの処理と同じであるので、図８においては図示せず、その説明は省略する。
【００５３】
図８（Ａ）に示すステップＳ３０６の処理は、図４（Ｂ）に示したステップＳ１０６の処理と同様である。続く、ステップＳ３０７では、システム制御部１２０は、輝度信号Ｙのゲインｇを算出する。ゲインｇの算出方法について以下に説明する。電源装置１５３での帰還回路の切り替えにより発生するバックライトＬＥＤ部１２６の電流リップル量は、電源装置１５３の周囲温度、及び図１に示したＬＥＤ調光用のＰＷＭ信号４２１の周波数及びデューティ比に依存する。電源装置１５３の周囲温度は、温度センサ１３８により検出可能である。そこで、システム制御部１２０は、ゲインｇを以下の（式１）に基づき算出する。
【００５４】
ｇ＝（１００−Ｋ（Ｔ，ｆ，Ｗ））／１００×ｇ0  ・・・（式１）
【００５５】
ここで、ｇ0はゲインｇの初期値である。また、Ｋ（Ｔ，ｆ，Ｗ）［％］は、電源装置１５３の周囲温度Ｔ、ＰＷＭ信号４２１の周波数ｆ及びデューティ比Ｗの関数で表されるバックライトＬＥＤ部１２６の電流リップル量の電流値に対する割合であり、実験的に算出することができる。図９にリップル量とゲインｇ及び輝度信号Ｙを一定と仮定した場合の液晶パネル表示部１２５の表示輝度との関係を示す。電流リップル量が正の方向に生じる場合には、ゲインｇは液晶パネル表示部１２５の表示輝度を下げるように小さくなる。
【００５６】
ステップＳ３０８では、システム制御部１２０は、液晶パネル表示部１２５に出力する垂直同期信号ＶＳＹＮＣの立下りを検出する。続く、ステップＳ３０９では、ステップＳ３０８にて検出した垂直同期信号ＶＳＹＮＣの立下りに同期して、システム制御部１２０は、輝度信号ＹのゲインｇをステップＳ３０７或いはステップＳ３１５にて算出した値に切り替える。ステップＳ３１０では、システム制御部１２０は、垂直同期信号ＶＳＹＮＣの立下り検出回数をシステム制御部１２０内蔵のカウンタにてカウントした値ｎが、１回であるかどうかを判定する。判定の結果、垂直同期信号ＶＳＹＮＣの立下り検出回数が１回であれば、ステップＳ３１１に進み、１回でなければステップＳ３１４に進む。ステップＳ３１１からステップＳ３１３の処理は、図４（Ｂ）に示したステップＳ１０８からステップＳ１１０の処理と同様である。
【００５７】
ステップＳ３１４では、システム制御部１２０は、垂直同期信号ＶＳＹＮＣの立下り検出回数をシステム制御部１２０内蔵のカウンタにてカウントした値ｎが、所定の回数であるＮ回であるかどうかを判定する。判定の結果、垂直同期信号ＶＳＹＮＣの立下り検出回数がＮ回に達した場合には図８（Ｂ）に示すステップＳ３１６に進み、そうでない場合にはステップＳ３１５に進む。ステップＳ３１５では、システム制御部１２０は、輝度信号Ｙのゲインｇを、ステップＳ３１４での垂直同期信号ＶＳＹＮＣの立下り検出回数に基づき、下記（式２）より変更する。
【００５８】
ｇ＝ｇ×（１−ｎ／Ｎ）  ・・・（式２）
【００５９】
ステップＳ３１５において、輝度信号Ｙのゲインｇを変更することにより、図９に示すように液晶パネル表示部１２５の表示輝度をＮフレーム分の時間をかけて徐々に所定の値へ近づけることができる。
【００６０】
図８（Ｂ）に示すステップＳ３１６の処理は、図４（Ｃ）に示したステップＳ１１１の処理と同様である。続く、ステップＳ３１７では、システム制御部１２０は、ステップＳ３０７と同様に、輝度信号Ｙのゲインｇを算出する。ステップＳ３１８では、システム制御部１２０は、ステップＳ３０８と同様に垂直同期信号ＶＳＹＮＣの立下りを検出する。続く、ステップＳ３１９では、ステップＳ３１８にて検出した垂直同期信号ＶＳＹＮＣの立下りに同期して、システム制御部１２０は、輝度信号ＹのゲインｇをステップＳ３１７或いはステップＳ３２５にて算出した値に切り替える。
【００６１】
ステップＳ３２０では、システム制御部１２０は、ステップＳ３１０と同様に垂直同期信号ＶＳＹＮＣの立下り検出回数が、１回であるかどうかを判定する。判定の結果、垂直同期信号ＶＳＹＮＣの立下り検出回数が１回であれば、ステップＳ３２１に進み、１回でなければステップＳ３２４に進む。ステップＳ３２１からステップＳ３２３の処理は、図４（Ｃ）に示したステップＳ１１３からステップＳ１１５の処理と同様である。
【００６２】
ステップＳ３２４では、システム制御部１２０は、ステップＳ３１４と同様に垂直同期信号ＶＳＹＮＣの立下り検出回数が、Ｎ回であるかどうかを判定する。判定の結果、垂直同期信号ＶＳＹＮＣの立下り検出回数がＮ回に達した場合には図８（Ａ）に示すステップＳ３０６に進み、そうでない場合にはステップＳ３２５に進む。ステップＳ３２５では、システム制御部１２０は、ステップＳ３１５と同様に輝度信号Ｙのゲインｇを算出する。以降、図８（Ａ）及び図８（Ｂ）に示した処理動作を行う。
【００６３】
実施形態３によれば、図９に示すように、電源回路１５３での帰還回路の切り替え時に発生するバックライトＬＥＤ部１２６に流れる電流のリップルの発生タイミングと、表示データの切り替えを同期させる。さらに、バックライトＬＥＤ部１２６に流れる電流のリップルにより生じた輝度変化量を打ち消すように輝度信号Ｙのレベルを下げることができる。また、変更した輝度信号Ｙのゲインｇは、Ｎフレーム分の時間をかけて徐々に所定の値へ近づけることで、急峻な表示輝度の変化を抑えることができる。これにより、バックライトＬＥＤ部１２６の電流リップルにより引き起こされる液晶表示装置１１０での表示輝度のちらつきを、実施形態１及び２よりもユーザに感じにくくすることができる。なお、図９においては、分かりやすくするために輝度信号Ｙを一定と仮定した場合の液晶パネル表示部１２５での表示輝度を図示したが、実際には第１の表示データと第２の表示データの輝度信号値は異なるため、図示した表示輝度とはならない。
【００６４】
以上、本発明の好ましい実施形態について説明したが、本発明はこれらの実施形態に限定されず、その要旨の範囲内で種々の変形及び変更が可能である。例えば、本実施形態においては、図１に示したような電源装置を用いたが、負荷回路としてバックライトＬＥＤ部を含み、帰還回路を切り替える方式の電源装置であれば、他の構成でも良い。また、帰還回路を切り替える方式の電源装置を有する電子機器であれば、図２に示すようなレンズ交換式の撮像装置以外のものでも良い。また、第２の負荷回路をピエゾ駆動部及びピエゾ素子としたが、第１の負荷回路よりも高い電圧を必要とする負荷であれば、他の負荷回路でも良い。
【００６５】
また、実施形態２では、バックライトＬＥＤ部の電流リップルの発生時に黒画像を表示するようにしているが、黒画像表示に限定されるものでない。バックライトＬＥＤ部の輝度変化量に対する液晶パネル表示部の表示輝度の変化量を小さく抑える効果が得られる画像であれば、他の画像であっても良い。
【００６６】
また、実施形態３では輝度信号Ｙのゲインｇを調整するようにしているが、液晶パネル表示部１２５の表示輝度を調整できる方法であれば、他の手段を用いても良い。例えば、図１に示したＬＥＤ調光用のＰＷＭ信号４２１のデューティ比を調整する方式としても良い。実施形態３では、（式１）によりＬＥＤ部１２６の電流リップルによる輝度変化を打ち消すゲインｇを算出し、（式２）によりＮフレームかけて徐々に所定の値へ近づける方式とした。しかし、これに限らず、バックライトＬＥＤ部１２６の電流リップルによる輝度変化を打ち消す効果があれば、他の算出式を用いても良い。
【００６７】
（本発明の他の実施形態）
また、本発明は、以下の処理を実行することによっても実現される。即ち、前述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【００６８】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００６９】
１１０  液晶表示装置、１２０  システム制御部、１２５  液晶パネル表示部、１２６  バックライトＬＥＤ部、１３８  温度センサ、１５１  ピエゾ駆動部、１５２  ピエゾ素子、１５３  電源装置
【図１】
2015075589.tif 000003
【図２】
2015075589.tif 000004
【図３】
2015075589.tif 000005
【図４】
2015075589.tif 000006
【図５】
2015075589.tif 000007
【図６】
2015075589.tif 000008
【図７】
2015075589.tif 000009
【図８】
2015075589.tif 000010
【図９】
2015075589.tif 000011
【図１０】
2015075589.tif 000012
【図１１】
2015075589.tif 000013